(57)【要約】【課題】  設置作業にかかる労力を軽減し、かつ、雨水その他の水による腐食を抑制する。【解決手段】  太陽電池は、太陽電池パネル１０と水切材１４とを備える。太陽電池パネル１０は傾斜状態で固定される。水切材１４は太陽電池パネル１０の縁２６に設けられる。水切材１４は、ベース部４０と、水案内部４２とを備える。ベース部４０は、太陽電池パネル１０の縁２６に載せられる。水案内部４２は、ベース部４０に連続する。水案内部４２は、太陽電池パネル１０の縁の外へ突出する。【選択図】      図１
2017200309.tif 000002
【特許請求の範囲】
【請求項１】
傾斜状態で固定される太陽電池パネルと、
前記太陽電池パネルの縁に設けられる水切材とを備える太陽電池であって、
前記水切材が、
前記太陽電池パネルの前記縁に載せられるベース部と、
前記ベース部に連続し前記太陽電池パネルの前記縁の外へ突出する水案内部とを備えることを特徴とする太陽電池。
【請求項２】
前記太陽電池が、複数枚の前記太陽電池パネルを備えており、
前記太陽電池が前記複数枚の太陽電池パネルを並べて載せて前記傾斜状態で固定する柱状部材をさらに備え、
前記水案内部が前記太陽電池パネルの前記縁の外のうち前記柱状部材の上とは異なる箇所へ突出することを特徴とする請求項１に記載の太陽電池。
【請求項３】
傾斜状態で固定される板状部材の縁に設けられる水切材であって、
前記板状部材の前記縁に載せられるベース部と、
前記ベース部に連続する水案内部とを備え、
前記ベース部が、
前記板状部材の前記縁に接触する接触面と、
前記接触面を正面としたときの側部のいずれかである連続部とを有している水切材であって、
前記水案内部が、前記連続部にそれぞれ連続し、かつ、互いに沿うように並ぶ複数の並列体部を有しており、
前記並列体部が、
前記接触面と交差する方向へ延び、かつ、前記接触面が対向する空間に対向する水落部と、
前記水落部を前記連続部に連結する付根部とを有することを特徴とする水切材。
【請求項４】
前記水落部が、
前記付根部に連結され前記ベース部の前記接触面と交差する方向へ延びる幹部と、
前記ベース部の前記接触面に対向する接触面対向部と、
前記幹部および前記接触面対向部の少なくとも一方に連続し前記接触面対向部から見て前記接触面とは反対側に配置される端部とを有することを特徴とする請求項３に記載の水切材。
【請求項５】
前記接触面対向部が、
前記接触面が対向する空間を介して前記接触面に対向する空間対向部と、
前記空間対向部と前記端部とに連続する水誘導部とを有していることを特徴とする請求項４に記載の水切材。
【発明の詳細な説明】
【技術分野】
【０００１】
本発明は太陽電池および水切材に関する。
【背景技術】
【０００２】
特許文献１は水切りカバーを開示する。その水切りカバーは、太陽電池パネルモジュール間の隙間内に用いられる。これらの太陽電池パネルモジュールは長尺の主材上に搭載されたものである。その水切りカバーは、少なくともその隙間内のその主材上を覆うものである。その水切りカバーは、案内部と水切り部とを有する。案内部は太陽電池パネルモジュール間の隙間から進入する水を太陽電池パネルモジュールが搭載された主材から離れた位置に案内する。水切り部は流出部を有する。流出部は、案内部で案内された水を流出させる。特許文献１に開示された水切りカバーは、雨水による腐食をより確実に抑制できる。
【先行技術文献】
【特許文献】
【０００３】
【特許文献１】特開２０１４−２１４５５４号公報
【発明の概要】
【発明が解決しようとする課題】
【０００４】
特許文献１に開示された水切りカバーでは、設置作業に多大な労力がかかるという問題点がある。本発明は、この問題点を解消するものである。その目的は、設置作業にかかる労力を軽減し、かつ、雨水その他の水による腐食を抑制することにある。
【課題を解決するための手段】
【０００５】
図面を参照し本発明を説明する。なおこの欄で図中の符号を使用したのは発明の内容の理解を助けるためである。この欄で図中の符号を使用することには発明の内容を図示した範囲に限定する意図がない。
【０００６】
上述した目的を達成するために、本発明のある局面に従うと、太陽電池は、太陽電池パネル１０と水切材１４，１１４，２１４，１１４，２１４とを備える。太陽電池パネル１０は傾斜状態で固定される。水切材１４，１１４，２１４は太陽電池パネル１０の縁２６に設けられる。水切材１４，１１４，２１４は、ベース部４０と、水案内部４２，１４２，２４２とを備える。ベース部４０は、太陽電池パネル１０の縁２６に載せられる。水案内部４２，１４２，２４２は、ベース部４０に連続する。水案内部４２，１４２，２４２は、太陽電池パネル１０の縁２６の外へ突出する。
【０００７】
太陽電池パネル１０が傾斜状態で固定されるので、雨水その他太陽電池パネル１０に付着した水が太陽電池パネル１０の縁２６に流れ落ちることがある。その縁２６に流れ落ちた水の一部がベース部４０と水案内部４２，１４２，２４２とを伝って太陽電池パネル１０の縁２６の外へ流れ落ちる。その水が太陽電池パネル１０の側面を伝わらず水案内部４２，１４２，２４２を伝って流れ落ちることで、太陽電池パネル１０の側面を伝う水によるそこの腐食を抑制できる。これにより、太陽電池における雨水その他の水による腐食を抑制できる。ベース部４０は、太陽電池パネル１０の縁２６に載せられる。ベース部４０を太陽電池パネル１０の縁２６に載せる労力は例えば太陽電池パネル１０とその下の柱状部材１２との間に水切材を設置する作業に比べると少ない。労力が少なくなるので、設置作業にかかる労力を軽減できる。
【０００８】
また、上述した太陽電池が、複数枚の太陽電池パネル１０を備えていることが望ましい。この場合、太陽電池が柱状部材１２をさらに備えていることが望ましい。柱状部材１２は複数枚の太陽電池パネル１０を並べて載せて傾斜状態で固定する。この場合、水案内部４２，１４２，２４２が太陽電池パネル１０の縁２６の外のうち柱状部材１２の上とは異なる箇所へ突出することが望ましい。
【０００９】
複数枚の太陽電池パネル１０が柱状部材１２に並べて載せて傾斜状態で固定される。この場合、柱状部材１２のうち２枚の太陽電池パネル１０の間の部分は太陽電池パネル１０に覆われないこととなる。水案内部４２，１４２，２４２が太陽電池パネル１０の縁２６の外のうち柱状部材１２の上とは異なる箇所へ突出する。これにより、水案内部４２，１４２，２４２が柱状部材１２の上に突出する場合に比べ、柱状部材１２のうち太陽電池パネル１０に覆われない部分に水がかかり難くなる。水がかかり難くなると、水がかかり易い場合にくらべ、その部分の腐食を抑制できる。これにより、太陽電池における雨水その他の水による腐食を抑制できる。
【００１０】
本発明の他の局面に従うと、水切材１４，１１４，２１４は、傾斜状態で固定される板状部材１０の縁２６に設けられるものである。水切材１４，１１４，２１４は、ベース部４０と、水案内部４２，１４２，２４２とを備える。ベース部４０は、板状部材１０の縁２６に載せられる。水案内部４２，１４２，２４２は、ベース部４０に連続する。ベース部４０が、接触面５０と、連続部５２とを有している。接触面５０は、板状部材１０の縁２６に接触する。連続部５２は、接触面５０を正面としたときの側部のいずれかである。水案内部４２，１４２，２４２が、複数の並列体部６０，１６０，２６０，２６１を有している。並列体部６０，１６０，２６０，２６１は連続部５２にそれぞれ連続する。並列体部６０，１６０，２６０，２６１は互いに沿うように並ぶ。並列体部６０，１６０，２６０，２６１は、水落部７２，１７２，２７２と、付根部７０とを有する。水落部７２，１７２，２７２は付根部７０に連続する。水落部７２，１７２，２７２は接触面５０と交差する方向へ延びる。水落部７２，１７２，２７２は、接触面５０が対向する空間７８に対向する。付根部７０は水落部７２，１７２，２７２を連続部５２に連結する。
【００１１】
板状部材１０が傾斜状態で固定されるので、雨水その他板状部材１０に付着した水が板状部材１０の縁２６に流れ落ちることがある。その縁２６に流れ落ちた水の一部がベース部４０と水案内部４２，１４２，２４２とを伝って板状部材１０の縁２６の外へ流れ落ちる。その水が板状部材１０の側面を伝わらず水案内部４２，１４２，２４２を伝って流れ落ちることで、板状部材１０の側面を伝う水によるそこの腐食を抑制できる。これにより、板状部材１０における雨水その他の水による腐食を抑制できる。ベース部４０は、板状部材１０の縁２６に載せられる。ベース部４０を板状部材１０の縁２６に載せる労力は例えば板状部材１０とその下の部材との間に水切材を設置する作業に比べると少ない。労力が少なくなるので、設置作業にかかる労力を軽減できる。しかも、水案内部４２，１４２，２４２が、複数の並列体部６０，１６０，２６０，２６１を有している。それらの並列体部６０，１６０，２６０，２６１は連続部５２にそれぞれ連続する。並列体部６０，１６０，２６０，２６１は互いに沿うように並ぶ。板状部材１０の縁２６に流れ落ちた水は複数の並列体部６０，１６０，２６０，２６１を伝って流れ落ちる分、単一の並列体部６０，１６０，２６０，２６１のみから水が流れ落ちる場合に比べ、個々の並列体部６０，１６０，２６０，２６１を伝って流れ落ちる水の量は少なくなる。水の量が少なくなると、そうでない場合に比べ、水がかかった箇所へその水がかかったことによる影響を抑えられる。
【００１２】
また、上述した水落部７２，１７２，２７２が、幹部８０，１８０，２８０，２８１と、接触面対向部８２，１８２，２８２と、端部８４，１８４，２８４とを有していることが望ましい。幹部８０，１８０，２８０，２８１は付根部７０に連結される。幹部８０，１８０，２８０，２８１はベース部４０の接触面５０と交差する方向へ延びる。接触面対向部８２，１８２，２８２は、ベース部４０の接触面５０に対向する。端部８４，１８４，２８４は幹部８０，１８０，２８０，２８１および接触面対向部８２，１８２，２８２の少なくとも一方に連続する。端部８４，１８４，２８４は接触面対向部８２，１８２，２８２から見て接触面５０とは反対側に配置される。
【００１３】
幹部８０，１８０，２８０，２８１を伝って流れた水は端部８４，１８４，２８４から流れ落ちる。接触面対向部８２，１８２，２８２がベース部４０の接触面５０に対向するので、接触面５０が板状部材１０の縁２６に載せられたとき、その縁２６の背面に接触面対向部８２，１８２，２８２が対向することとなる。縁２６の背面に接触面対向部８２，１８２，２８２が対向すると、その背面に対向する部分がない場合に比べ、その背面を伝って流れた水が水落部７２，１７２，２７２に集まり易くなる。水落部７２，１７２，２７２に水が集まり易くなると、そうでない場合に比べ、水落部７２，１７２，２７２に集まった水が流れ落ち易くなる。その結果、その水が流れ落ち難い場合に比べ、板状部材１０における雨水その他の水による腐食を抑制できる。
【００１４】
もしくは、上述した接触面対向部１８２が、空間対向部１９０と水誘導部１９２とを有していることが望ましい。空間対向部１９０は接触面５０が対向する空間７８を介して接触面５０に対向する。水誘導部１９２は空間対向部１９０と端部１８４とに連続する。
【００１５】
水誘導部１９２が空間対向部１９０と端部１８４とに連続するので、そうでない場合に比べ、空間対向部１９０に伝わった水は端部１８４に流れ易くなる。端部１８４に水が流れ易くなると、そうでない場合に比べ、水落部１７２に集まった水が流れ落ち易くなる。その結果、その水が流れ落ち難い場合に比べ、板状部材１０における雨水その他の水による腐食を抑制できる。
【発明の効果】
【００１６】
本発明によれば、設置作業にかかる労力を軽減し、かつ、雨水による腐食を抑制できる。
【図面の簡単な説明】
【００１７】
【図１】本発明のある実施形態にかかる太陽電池の外観図である。
【図２】本発明のある実施形態にかかる水切材の外観図である。
【図３】本発明の第１変形例にかかる水切材の外観図である。
【図４】本発明の第２変形例にかかる水切材の外観図である。
【発明を実施するための形態】
【００１８】
以下、図面を参照しつつ、本発明のある実施形態について説明する。以下の説明では、同一の部品には同一の符号を付してある。それらの名称及び機能も同一である。したがって、それらについての詳細な説明は繰返さない。
【００１９】
［構成の説明］
図１は、本実施形態にかかる太陽電池の外観図である。図１に基づいて、本実施形態にかかる太陽電池の構成が説明される。本実施形態にかかる太陽電池は、複数枚の太陽電池パネル１０と柱状部材１２と水切材１４とを備える。
【００２０】
本実施形態にかかる太陽電池パネル１０は複数枚の太陽電池モジュール２０と枠材２２とを有する。太陽電池モジュール２０は図示されない端子の対を有する。太陽電池モジュール２０は光を受けるとそれらの端子の対の間に電位差を生じさせる。それらの端子の間に回路が接続されるとその回路に電流が流れる。本実施形態にかかる太陽電池パネル１０は互いに直列に接続されている。枠材２２はそれら複数枚の太陽電池モジュール２０を一体とするための部材である。本実施形態における太陽電池パネル１０のより具体的な構成は周知のものと同様である。したがって、その詳細な説明は繰り返されない。
【００２１】
柱状部材１２は複数枚の太陽電池パネル１０を並べて載せる。それら複数枚の太陽電池パネル１０は柱状部材１２に固定される。その固定により、それら複数枚の太陽電池パネル１０はいずれも傾斜状態で固定される。その固定により、それら複数枚の太陽電池パネル１０は図１に示されるように傾斜面に沿って並ぶ。それらの太陽電池パネル１０の間には隙間２４が形成されている。本実施形態における柱状部材１２の構成は周知のものと同様である。したがって、その詳細な説明は繰り返されない。
【００２２】
水切材１４は太陽電池パネル１０の縁２６に設けられる。水切材１４は周知の線材が曲げられることで製造される。水切材１４は太陽電池パネル１０の表面を伝って流れ落ちる雨水その他の水の流路となる。
【００２３】
図２は、本実施形態にかかる水切材１４の外観図である。図２に基づいて、水切材１４の構成が説明される。本実施形態にかかる水切材１４は、ベース部４０と、水案内部４２とを備える。ベース部４０は、太陽電池パネル１０の縁２６に載せられる。水案内部４２は、ベース部４０に連続する。水案内部４２は、太陽電池パネル１０の縁２６の外のうち柱状部材１２の上とは異なる箇所へ突出する。
【００２４】
ベース部４０が、接触面５０と、連続部５２とを有している。接触面５０は、太陽電池パネル１０の縁２６に接触する。連続部５２は、接触面５０を正面としたときの側部のいずれかである。連続部５２は水案内部４２に連続する。
【００２５】
水案内部４２は、並列体部６０の組を有している。その並列体部６０の組は、ベース部４０から互いに間隔を開けて沿うようにそれぞれ突出する。並列体部６０は、付根部７０と、水落部７２とを有する。付根部７０は水落部７２を連続部５２に連結する。水落部７２は接触面５０と交差する方向へ延びる。水落部７２は、接触面５０が対向する空間７８に対向する。
【００２６】
水落部７２は、幹部８０と、接触面対向部８２と、端部８４とを有する。幹部８０は付根部７０に連結される。幹部８０は接触面５０と交差する方向へ延びる。接触面対向部８２は、ベース部４０の接触面５０に対向する。図２から明らかな通り、本実施形態の場合、接触面対向部８２は直線状部分を有する。本実施形態の場合、端部８４は接触面対向部８２に連続する。これにより、ベース部４０が太陽電池パネル１０の縁２６に載せられたときに水切材１４が傾くことが防止される。端部８４は接触面対向部８２から見て接触面５０とは反対側に配置される。
【００２７】
［設置方法の説明］
本実施形態にかかる太陽電池は、次の手順で設置される。まず、作業者が柱状部材１２を設置する。本実施形態における柱状部材１２の設置手順は周知のものと同様である。したがって、それらの詳細な説明は繰り返されない。柱状部材１２が設置されると、作業者は、その柱状部材１２に複数枚の太陽電池パネル１０を載せ、これを柱状部材１２に固定する。太陽電池パネル１０の柱状部材１２への固定手順は周知である。したがって、それらの詳細な説明は繰り返されない。複数枚の太陽電池パネル１０が柱状部材１２に固定されると、作業者は、水切材１４の接触面５０を太陽電池パネル１０の縁２６に載せる。このとき、作業者は、図１に示されている通り、柱状部材１２が並列体部６０の組の間に位置するように水切材１４の接触面５０を太陽電池パネル１０の縁２６に載せる。これにより、本実施形態にかかる太陽電池の設置が完了する。
【００２８】
［使用方法の説明］
本実施形態にかかる太陽電池は屋外に設置される。雨天の日には、それらの太陽電池パネル１０に雨水がかかる。太陽電池パネル１０が傾斜状態で固定されている。すなわち太陽電池パネル１０は水平面に対して傾いている。これにより、雨水は太陽電池パネル１０の表面を伝って流れ落ちる。その一部が水切材１４に伝わる。水切材１４に伝った水は水案内部４２を伝って流れ落ちる。
【００２９】
［本実施形態にかかる水切材の効果］
以上のようにして、本実施形態にかかる水切材１４では、水がベース部４０と並列体部６０とを伝って太陽電池パネル１０の縁２６の外へ流れ落ちる。その水が太陽電池パネル１０の側面を伝わらず並列体部６０を伝って流れ落ちる分、太陽電池パネル１０の側面を伝う水による腐食を抑制できる。これにより、太陽電池パネル１０における雨水その他の水による腐食を抑制できる。さらに、柱状部材１２が並列体部６０の組の間に位置するように水切材１４は設けられる。これにより、水案内部４２を伝って流れ落ちる水が柱状部材１２の上に流れ落ちることを防止できる。その結果、柱状部材１２における雨水その他の水による腐食が抑制される。ベース部４０は、太陽電池パネル１０の縁２６に載せられる。ベース部４０を太陽電池パネル１０の縁２６に載せる労力は例えば太陽電池パネル１０とその下の部材との間に水切材を設置する作業に比べると少ない。労力が少なくなるので、設置作業にかかる労力を軽減できる。しかも、太陽電池パネル１０の縁２６に流れ落ちた水は複数の並列体部６０を伝って流れ落ちる分、単一の並列体部６０のみから水が流れ落ちる場合に比べ、個々の並列体部６０を伝って流れ落ちる水の量は少なくなる。水の量が少なくなると、そうでない場合に比べ、水がかかった箇所へその水がかかったことによる影響を抑えられる。
【００３０】
<変形例の説明>
今回開示された実施形態はすべての点で例示である。本発明の範囲は上述した実施形態に基づいて制限されるものではない。もちろん、本発明の趣旨を逸脱しない範囲で種々の設計変更をしてもよい。例えば、水切材の形態は上述のものに限定されない。
【００３１】
図３は、本発明の第１変形例にかかる水切材１１４の外観図である。図３に基づいて、本変形例にかかる水切材１１４の構成が説明される。本変形例にかかる水切材１１４は、ベース部４０と、水案内部１４２とを備える。水案内部１４２は、ベース部４０に連続する。水案内部１４２は、太陽電池パネル１０の縁２６の外のうち柱状部材１２の上とは異なる箇所へ突出するよう配置される。
【００３２】
水案内部１４２は、並列体部１６０の組を有している。その並列体部１６０の組は、ベース部４０から互いに間隔を開けて沿うようにそれぞれ突出する。並列体部１６０は、付根部７０と、水落部１７２とを有する。水落部１７２は接触面５０と交差する方向へ延びる。水落部１７２は、接触面５０が対向する空間７８に対向する。
【００３３】
水落部１７２は、幹部１８０と、接触面対向部１８２と、端部１８４とを有する。幹部１８０は付根部７０に連結される。幹部１８０は接触面５０と交差する方向へ延びる。接触面対向部１８２は、ベース部４０の接触面５０に対向する。本変形例の場合、接触面５０と接触面対向部１８２との間隔は、枠材２２の厚さと等しくなっている。したがって、水切材１１４が太陽電池パネル１０の縁２６に設けられるとき、接触面５０と接触面対向部１８２とは枠材２２を挟むことが可能である。端部１８４は幹部８０および接触面対向部１８２に連続する。端部１８４は接触面対向部１８２から見て接触面５０とは反対側に配置される。
【００３４】
接触面対向部１８２は、空間対向部１９０と水誘導部１９２とを有している。空間対向部１９０は接触面５０が対向する空間７８に配置される。図３から明らかな通り、本変形例の場合、空間対向部１９０は直線状部分を有する。水誘導部１９２は空間対向部１９０と端部１８４とに連続する。
【００３５】
この水切材１１４の製造方法および使用方法は、接触面５０と接触面対向部８２とで枠材２２を挟む点を除けば、図１および図２に示された水切材１４と同様である。したがって、ここではその詳細な説明は繰り返されない。
【００３６】
図４は、本発明の第２変形例にかかる水切材２１４の外観図である。図４に基づいて、本変形例にかかる水切材２１４の構成が説明される。本変形例にかかる水切材２１４は、ベース部４０と、水案内部２４２とを備える。水案内部２４２は、ベース部４０に連続する。水案内部２４２は、太陽電池パネル１０の縁２６の外のうち柱状部材１２の上とは異なる箇所へ突出する。
【００３７】
水案内部２４２は、並列体部２６０，２６１の組を有している。その並列体部２６０，２６１の組は、ベース部４０から互いに間隔を開けて沿うようにそれぞれ突出する。並列体部６０は、付根部７０と、水落部２７２，２７３とを有する。水落部２７２，２７３は接触面５０と交差する方向へ延びる。水落部２７２，２７３は、接触面５０が対向する空間７８に対向する。
【００３８】
水落部２７２，２７３は、幹部２８０，２８１と、接触面対向部２８２と、端部２８４とを有する。幹部２８０，２８１は付根部７０に連結される。幹部２８０，２８１は接触面５０と交差する方向へ延びる。幹部２８０と幹部２８１との差は長さである。接触面対向部２８２は、ベース部４０の接触面５０に対向する。本変形例の場合、接触面５０と水落部２７２が有する接触面対向部２８２との間隔が、枠材２２の厚さと等しくなっている。したがって、水切材２１４が太陽電池パネル１０の縁２６に設けられるとき、接触面５０と水落部２７２が有する接触面対向部２８２とは枠材２２を挟むことが可能である。端部２８４は幹部２８０，２８１と接触面対向部２８２に連続する。端部２８４は接触面対向部２８２から見て接触面５０とは反対側に配置される。
【００３９】
この水切材２１４の製造方法および使用方法は、接触面５０と水落部２７２が有する接触面対向部２８２とで枠材２２を挟む点を除けば、図１および図２に示された水切材１４と同様である。したがって、ここではその詳細な説明は繰り返されない。
【００４０】
本発明にかかる水切材が設けられるのは、太陽電池パネル１０に限定されない。太陽電池パネル１０と同様に、傾斜状態で固定される板状部材に設けられてもよい。
【００４１】
本発明にかかる水切材は接触面対向部を有していなくてもよい。この場合、その水切材は、そのベース部が太陽電池パネル１０の縁２６に載せられることでその機能を奏することとなる。もちろん、その場合も、その水切材が風などで飛ばされることのないように、その水切材が何らかの方法で固定されることが望ましい。
【００４２】
本発明にかかる水切材において並列体部６０，１６０，２６０，２６１は互いに沿うように並ぶものに限定されない。これらは互いにまったく別の方向に向かって延びるものであってもよい。また、本発明にかかる水切材において水案内部の構成は複数の並列体部６０，１６０，２６０，２６１を有するものに限定されない。例えば、水案内部は連続部５２に連続する１本の柱状体であってもよい。
【符号の説明】
【００４３】
１０…太陽電池パネル
１２…柱状部材
１４，１１４，２１４…水切材
２０…太陽電池モジュール
２２…枠材
２４…隙間
２６…縁
４０…ベース部
４２，１４２，２４２…水案内部
５０…接触面
５２…連続部
６０，１６０，２６０，２６１…並列体部
７０…付根部
７２，１７２，２７２…水落部
７８…空間
８０，１８０，２８０，２８１…幹部
８２，１８２，２８２…接触面対向部
８４，１８４，２８４…端部
９０，１９０…空間対向部
１９２…水誘導部
【図１】
2017200309.tif 000003
【図２】
2017200309.tif 000004
【図３】
2017200309.tif 000005
【図４】
2017200309.tif 000006